(57)【要約】【課題】背面に設けられたコネクタへの接続を容易にし、作業性を向上させた液晶モジュールを提供することである。【解決手段】液晶モジュール１０は、回路基板１８上に、基板側コネクタ１８ａを接続方向が基板１８と平行になるように配設し、基板側コネクタ１８ａの接続口側の背面ケース１７に、基板側コネクタ１８ａへ本体側コネクタを接続する際の突条のガイド１７ａを形成し、ガイド１７ａは、背面ケース１７に一体成形された樹脂であり、基板側コネクタ１８ａの接続口の長辺に向かう面と、基板側コネクタの接続口の短辺に向かう面を有するものとする。【選択図】      図１
2005017421.tif 000002
【特許請求の範囲】
【請求項１】
表示部の背面を覆う背面ケースと、該背面ケースの背面に設けられた回路基板と、該回路基板上に配設された基板側コネクタとを備えた液晶モジュールにおいて、
前記基板側コネクタへ本体側コネクタを接続するためのガイドが、前記背面ケースに形成されていることを特徴とする液晶モジュール。
【請求項２】
表示部の背面を覆う背面ケースと、該背面ケースの背面に設けられた回路基板とを備えた液晶モジュールにおいて、
前記回路基板上には、基板側コネクタの接続口が該回路基板の面と平行になるように配設され、
前記基板側コネクタの接続口側の前記背面ケース上には、前記基板側コネクタへ本体側コネクタを接続する際の突条のガイドが形成されていることを特徴とする液晶モジュール。
【請求項３】
前記ガイドは、前記基板側コネクタの接続口へ向かう面から構成されていることを特徴とする請求項１又は２記載の液晶モジュール。
【請求項４】
前記ガイドは、前記基板側コネクタの接続口の長辺に向かう面と、前記基板側コネクタの接続口の短辺に向かう面を有することを特徴とする請求項３記載の液晶モジュール。
【請求項５】
前記ガイドの接続口に向かう面は、三面からなることを特徴とする請求項４記載の液晶モジュール。
【請求項６】
前記回路基板は、高床式に固定されており、前記ガイドは、前記接続口の長辺に向かう面に向かって伸びる斜面を有していることを特徴とする請求項４又は５記載の液晶モジュール。
【請求項７】
前記ガイドは、前記背面ケースに一体形成された樹脂製であることを特徴とする請求項１から６の何れか一項記載の液晶モジュール。
【発明の詳細な説明】
【０００１】
【発明の属する技術分野】
本発明は、表示部の背面を覆う背面ケースと、該背面ケースの背面に設けられた回路基板とを備えた液晶モジュールに関するものである。
【０００２】
【従来の技術】
一般に、液晶モジュールには映像用の信号等を受け取るためのコネクタが設けられている。このコネクタは液晶モジュールの背面に設けられていることが多く、その位置により様々な問題が生じる。
【０００３】
例えば、特許文献１には、コネクタの接続状態を容易に確認することができる液晶表示装置が開示されている。具体的には、液晶セルとバックライトとをフレームに収納し、液晶セルの上面側を表ベゼルカバーで覆い、下面側を裏ベゼルカバーで覆うとともに、制御回路基板のコネクタに対応する裏ベゼルカバーの位置に確認穴を開口したものである。その結果、この確認穴からコネクタの接続状態を容易に確認することができる。
【０００４】
【特許文献１】
特開２００２−３５１３４９号公報
【０００５】
【発明が解決しようとする課題】
しかしながら、特許文献１などの従来の液晶表示装置を、例えば車載用のナビゲーション装置等に用いる場合、液晶モジュールの背面に設けられたコネクタに接続する作業は、車側のダッシュパネルから出ている配線と液晶モジュールのコネクタを接続するため、コネクタが見えず作業性が非常に悪い。そのため、コネクタの破損や接続不良が頻繁に発生する。これは特に中・小型の液晶モジュールを本体、例えば冷蔵庫、炊飯器などに組み込む作業において、液晶モジュール側のコネクタと、本体側のコネクタを接続する際、全般的に言える問題である。
【０００６】
本発明は、上記の問題点に鑑み、背面に設けられたコネクタへの接続を容易にし、作業性を向上させた液晶モジュールを提供することを目的とする。
【０００７】
【課題を解決するための手段】
上記目的を達成するために本発明は、表示部の背面を覆う背面ケースと、該背面ケースの背面に設けられた回路基板と、該回路基板上に配設された基板側コネクタとを備えた液晶モジュールにおいて、前記基板側コネクタへ本体側コネクタを接続するためのガイドが、前記背面ケースに形成されていることを特徴とするものである。
【０００８】
また本発明は、表示部の背面を覆う背面ケースと、該背面ケースの背面に設けられた回路基板とを備えた液晶モジュールにおいて、前記回路基板上には、基板側コネクタの接続口が該回路基板の面と平行になるように配設され、前記基板側コネクタの接続口側の前記背面ケース上には、前記基板側コネクタへ本体側コネクタを接続する際の突条のガイドが形成されていることを特徴とするものである。また、前記ガイドは、前記基板側コネクタの接続口へ向かう面から構成されている。また前記ガイドは、前記基板側コネクタの接続口の長辺に向かう面と、前記基板側コネクタの接続口の短辺に向かう面を有する。また前記ガイドの接続口に向かう面は、三面からなる。さらには、前記回路基板は、高床式に固定されており、前記ガイドは、前記接続口の長辺に向かう面に向かって伸びる斜面を有している。
【０００９】
これにより液晶モジュールの背面側が視認困難な状態で本体側コネクタと基板側コネクタとの接続作業を行う場合でも、ガイドに沿わせて接続作業を行うことができるため、コネクタの破損や接続不良の発生を格段に減少させることができる。
【００１０】
また、前記ガイドが、前記背面ケースに一体形成された樹脂製であることにより、製造工程を増やすことなくコストも変わらない。
【００１１】
【発明の実施の形態】
以下に本発明の実施形態について図面を参照して説明する。図１は液晶モジュールの背面側の斜視図、図２は図１の分解斜視図、図３は図１のＡ−Ａ線断面図である。
【００１２】
図１、図２のように、液晶モジュール１０は、金属製の外枠１１と、表示用の液晶パネル１２と、シート等を固定する中枠１３と、２枚のプリズムシート１４ａ、１４ｂと、導光板１５と、光源となる蛍光管や反射板や蛍光管用の配線１６ａからなるバックライト１６と、外枠に嵌合する背面ケース１７と、液晶モジュール１０を制御する回路基板１８と、絶縁シート１９と、回路基板１８や絶縁シート１９を覆う保護カバー２０とが順に重ねられている。そして、これらの部材はビス２１ａ、２１ｂにより固定される。
【００１３】
回路基板１８上の保護カバー２０が重ならない部分には、液晶モジュール１０の外部から送られてくる映像信号等を受け取る基板側コネクタ１８ａが配設される。この基板側コネクタ１８ａの接続口は、回路基板１８のエッジ近傍に設けられている。また基板側コネクタ１８ａの接続口は、本体側コネクタ（不図示）が平板上の回路基板１８の平面と平行に挿嵌する方向に設けられる。つまり、基板側コネクタ１８ａの接続口は回路基板１８に対して水平となる。なお、本体側コネクタとはこの液晶モジュール１０が組み込まれるナビゲーション装置等に設けられているコネクタを指しており、映像用の信号等がこの本体側コネクタを介して基板側コネクタ１８ａへ送られる。
【００１４】
基板側コネクタ１８ａの接続口側の背面ケース１７上に、基板側コネクタ１８ａへ本体側コネクタを接続する際に補助する突条のガイド１７ａが形成される。このガイド１７ａは、背面ケース１７に一体成形された樹脂であり、基板側コネクタ１８ａの接続口の長辺側に向かって伸びる平面１７ｂと、基板側コネクタ１８ａの接続口の短辺側に向かって伸びる平面１７ｃを左右両短辺側に有する（図３参照）。接続の際には、本体側コネクタの側面を面１７ｂ、１７ｃに沿わせながら基板側コネクタ１８ａに接続する。
【００１５】
このように、ガイド１７ａは一体成形されるので製造工程を増やすことなくコストも変わらない。また、ガイド１７ａの平面１７ｂが基板側コネクタの接続口の長辺に向かっていることにより、接続口の長辺に垂直な方向に対して本体側コネクタの位置決めができ、ガイド１７ａの平面１７ｃが基板側コネクタの接続口の短辺に向かっていることにより、接続口の短辺に垂直な方向に対して本体側コネクタの位置決めができる。従って、基板側コネクタ１８ａが見えなくても確実かつ容易に本体側コネクタを接続することができ、コネクタの破損や接続不良を防ぐことができる。特に回路基板１８が高床式に固定されているときにはこのような構成が非常に有効となる。
【００１６】
なお、平面１７ｂ、１７ｃは必ずしも平面である必要はなく、接続口に向かって伸びる緩やかな曲面でも構わない。また接続口短辺側に位置する平面１７ｃは必ずしも接続口近傍において短辺と同様な幅を有している必要はなく、ガイドとしての機能を果たすのであれば、任意にその高さを設定すればよい。
【００１７】
また本実施形態においては、図３に示すように、ガイド１７ａの断面は略台形であり、背面ケース１７の底部からは平面１７ｂの端部に向かって傾斜面１７ｄが形成されている。これにより、コネクタの接続時には本体側コネクタを傾斜面１７ｄに続いて平面１７ｂに沿わせることができるため、回路基板１８が背面ケース１７の底部から高い位置で固定されている場合であり、基板側コネクタ１８ａが見えない、あるいは非常に見難い場合であっても、確実にかつ容易に本体側コネクタを接続することができる。
【００１８】
なお、図３においては、ガイド１７ａは面１７ｂ〜１７ｄからなるが、平面１７ｃは少なくとも面１７ｂの一端に設けてあればガイドとして機能する。
【００１９】
本発明の液晶モジュールは、背面に設けられたコネクタを見ずに接続する機器に有効に利用でき、例えば、車載用のナビゲーション装置をはじめ、炊飯器等の家電機器の表示装置として利用することができる。
【００２０】
【発明の効果】
本発明の液晶モジュールによれば、回路基板上に、基板側コネクタを接続方向が基板と平行になるように配設し、基板側コネクタの接続口側の背面ケース上に、基板側コネクタへ本体側コネクタを接続する際の突条のガイドを形成することにより、接続作業時に液晶モジュールの背面の基板側コネクタが見えなくても確実に容易に本体側コネクタを接続することができる。従って、コネクタの破損や接続不良を防ぐことができる。
【００２１】
また本発明によれば、ガイドは背面ケースに一体成形された樹脂とすることにより、製造工程を増やすことなくコストも変わらない。
【００２２】
また本発明によれば、ガイドの面が基板側コネクタの接続口の長辺に向かうことにより、接続口の長辺に垂直な方向に対して本体側コネクタの位置決めができ、ガイドの他の面が基板側コネクタの接続口の短辺に向かうことにより、接続口の短辺に垂直な方向に対して本体側コネクタの位置決めができる。従って、コネクタの破損や接続不良を防ぐとともに、スムーズに作業できる。
【図面の簡単な説明】
【図１】本発明の液晶モジュールの背面側の斜視図である。
【図２】図１の分解斜視図である。
【図３】図１のＡ−Ａ線断面図である。
【符号の説明】
１０    液晶モジュール
１１    外枠
１２    液晶パネル
１３    中枠
１４ａ、１４ｂ    プリズムシート
１５    導光板
１６    バックライト
１７    背面ケース
１７ａ    ガイド
１７ｂ    基板側コネクタの接続口の長辺に沿った平面
１７ｃ    基板側コネクタの接続口の短辺に沿った平面
１８    回路基板
１８ａ    基板側コネクタ
１９    絶縁シート
２０    保護カバー
【図１】
2005017421.tif 000003
【図２】
2005017421.tif 000004
【図３】
2005017421.tif 000005